(57)【特許請求の範囲】
【請求項１】
１枚のシート材から折上げられ、
前記シート材は、その真ん中の方形域をトレーの底面とし、底面の一方の対向辺には、内壁及び外壁を二重折目を介して一体に連ねた二重側壁を、折目を介して夫々連設し、各二重側壁の両側端には、この二重側壁を延長させる様にして、底面の他方の対向辺の長さより短い分割二重側壁を、折目を介して夫々延設した形態を備えており、対向する１組の分割二重壁は、二重に折重ねた状態で、その一方の自由端を、他方の自由端に挿し込んだ形態を、掛合手段により固定されていることを特徴とする二重側壁を備えた折畳式トレーであって、
前記掛合手段として、１組の分割二重壁の夫々に、互いに嵌まり合う刳抜孔と差込用突起を設けたことを特徴とする二重側壁を備えた折畳式トレー。
【請求項２】
前記刳抜孔は、分割二重壁の自由端近くの頂面に設け、前記差込用突起は、刳抜孔に隣接する自由端部を、前記刳抜孔に差し込み得る厚さに２つ折りして形成させたことを特徴とする請求項１記載の二重側壁を備えた折畳式トレー。
【請求項３】
底面の他方の対向辺には、分割二重壁の外側に重合させる補助側壁を折目を介して連設し、その上縁の両側端には、隣接にする二重側壁の頂面に掛止させる差込片を備えた隅角片を、折目を介して夫々連設したことを特徴とする請求項１記載の二重側壁を備えた折畳式トレー。
【請求項４】
トレーの隅角個所での、分割二重側壁の折曲を容易にする為に、各隅角個所に於いて、側壁頂面に刳抜孔を設けたことを特徴とする請求項１記載の二重側壁を備えた折畳式トレー。
【発明の詳細な説明】
【０００１】
【発明の属する技術分野】
本発明は、段ボール等の１枚のシート材から折上げられるものに就いて、強度特性、折上作業の容易さ、素材の節約等の点で改良を施した、二重側壁を備えた折畳式トレーに関する。
【０００２】
【従来の技術】
図９に、１枚の段ボールから折上げられて、二重側壁を備えた折畳式トレーの従来例を示した。
図９の（ｃ）に示した、この従来のトレー５０の、一方の対向側壁は、二重折目ｇを介して一体に連なる外壁５１と内壁５２とを重合させた構成を備えている。
又、他方の対向側壁は、二重折目ｇを介して一体に連なる外壁５３と内壁５４とを重合させた構成を備えている。
【０００３】
そして、内壁５２の下縁には、トレー５０の底面上に重ねて補強する為の補強底面５５を連設し、その両側端には、外壁５３に重ねて補強する為の補強側片５６を連設している。
この補強側片５６は、図９の（ｂ），（ｃ）に示した様に、内・外壁５４・５３の間に挟み込まれる。
【０００４】
更に、上記の挟み込み状態を固定させる為に、内壁５４の下縁に延設した突片５４ａを、図９の（ｃ）に示した様に、トレーの底面に設けた差込孔ｈに嵌め込ませている。
又、内壁５４の両側端部に切起状に設けた、ほぼ１／４円弧状の隅角片５７を、二重側壁の頂面に掛止させている。
【０００５】
【発明が解決しようとする課題】
上記のタイプのトレーは、野菜や果菜類等の梱包に多く使われている。
その為、多段積みにも、又、水で多少濡れても耐えられる様に、頑丈な作りにすることが求められる。
その上、生産農家等で組立て易く、然も、極力安価であることも要求される。
【０００６】
これ等の要求に対して、上記のタイプのトレーは、頑丈さの点では或る程度の水準に達しているものの、折曲個所が多い為に、組立作業が面倒である。
又、補強底面５５、補強側片５６、突片５４ａを設けた分、材料費が嵩むし、段ボール原反からの裁断ロスも多く発生する。
【０００７】
そこで、本発明の目的は、材料費を極力節約しながら、所要の強度を確保出来、然も、組立・分解し易い様に構成された二重側壁を備えた折畳式トレーを提供するにある。
【０００８】
【課題を解決するための手段】
上記の目的を達成する為の、本発明による二重側壁を備えた折畳式トレーは、
１枚のシート材から折上げられるものであって、
前記シート材は、その真ん中の方形域をトレーの底面とし、
底面の一方の対向辺には、内壁及び外壁を二重折目を介して一体に連ねた二重側壁を、折目を介して夫々連設し、
各二重側壁の両側端には、この二重側壁を延長させる様にして、底面の他方の対向辺の長さより短い分割二重側壁を、折目を介して夫々延設した形態を備えており、
対向する１組の分割二重壁は、二重に折重ねた状態で、その一方の自由端を、他方の自由端に挿し込んだ形態を、掛合手段により固定されていることを特徴とする。
そして、前記掛合手段として、１組の分割二重壁の夫々に、互いに嵌まり合う刳抜孔と差込用突起を設けるとよい。
この刳抜孔は、分割二重壁の自由端近くの頂面に設け、差込用突起は、刳抜孔に隣接する自由端部を、刳抜孔に差し込み得る厚さに２つ折りして形成させるとよい。
更に、底面の他方の対向辺には、分割二重壁の外側に重合させる補助側壁を折目を介して連設し、その上縁の両側端には、隣接にする二重側壁の頂面に掛止させる差込片を備えた隅角片を、折目を介して夫々連設するとよい。
或いは、トレーの隅角個所での、分割二重側壁の折曲を容易にする為に、各隅角個所に於いて、側壁頂面に刳抜孔を設けるとよい。
【０００９】
【発明の実施の形態】
以下に、本発明による、二重側壁を備えた折畳式トレーの一実施例に就いて、図１〜図６を参照しながら説明する。
図６に、折上がり状態を示したこの実施例のトレー２００は、図１及び図２に示した１枚のシート材、この実施例では段ボール１００から、簡単・迅速に折上げられる。
【００１０】
このトレー２００は、パック詰めの苺を４箱、田の字形の配置で梱包することを目的として作られており、トレー２００の真ん中には、図６に示した様に、十文字形の中仕切３００を配置する様にしている。
もっとも、中仕切３００は使わずに、苺以外の、他の果菜類や野菜類等を梱包する為に使ってもよい。
【００１１】
図１に示した様に、ほぼ方形の段ボール１００は、その真ん中の矩形域をトレー２００の底面１としている。
底面１の一方（図では上下側）の対向辺には、外壁２、及び内壁３を二重折目Ｂを介して一体に連ねた二重側壁を、立上折目Ａを介して夫々連設している。
二重折目Ｂは、図示の様に、所定間隔を隔てた２条の並列折目から成り、この折目の間の部分は、トレー２００の側壁頂面ａとなる。
【００１２】
底面１の他方（図では左右側）の対向辺には、補助側壁４を立上折目Ａを介して夫々連設している。
【００１３】
外壁２、及び内壁３の両側端には、所定長さの延長壁２Ａ，３Ａを二重折目Ｂを介して一体に連ねた構成を備える分割二重側壁を、折目Ｃを介して夫々延設している。
延長壁２Ａ，３Ａの長さは、図５に示した様に、両分割二重側壁の自由端同士を互いに嵌め合わせる為に、補助側壁４の長さの１／２より幾分長くしている。
【００１４】
更に、分割二重側壁の自由端近くには、二重折目Ｂの両側に跨がらせて、小矩形状の刳抜孔５を設けている。
そして、刳抜孔５と分割二重側壁の自由端との間は、二重折目Ｂに代えて、２つ折用折目Ｄを設けている。
尚、刳抜孔５を設けた個所が破損し易くならない様に、刳抜孔５の隅角個所には、図１に示した様に丸味を持たせるとよい。図１以外は、刳抜孔５は角孔として作図の手間を省いた。
【００１５】
刳抜孔５を設けたことによって、図４に示した様に、二重側壁及び分割二重側壁を二重折目Ｂに沿って２つ折りすると、側壁頂面ａには、短いスリット状の開口ｂが形成される。
一方、２つ折用折目Ｄを設けた部分は薄く潰されて、開口ｂに差し込み得る厚さの、差込用突起ｃが形成される。
【００１６】
更に、トレー２００の四隅個所に於いて、側壁頂面ａには、図１，図５に示した様に、隣接する側壁間に跨がらせる様にして小矩形状の刳抜孔孔６を設けている。
この刳抜孔６は、後述する様に、分割二重側壁を、折目Ｃに沿って折曲し易くする役割を果たすものである。
【００１７】
一方、補助側壁４の上縁の両側端近くには、その起立状態を固定させる等の役割を果たす、１／４円板状の隅角片７を、折目Ｅを介して連設している。
隅角片７の側端には、側壁頂面ａに設けた差込孔９に挿嵌させる為の挿込片８を、延長壁２Ａの一部を切欠く様にして連設している。
【００１８】
又、補助側壁４の上縁には、中仕切３００を構成する矩形状の仕切片２１を、その一部が補助側壁４に食い込む様にして連設している。
十字形に噛み合わせる為の切込２２を設けた、２枚の仕切片２１は、原反から段ボール１００を裁断する際に、図２に示した様に切り離される。
【００１９】
次に、段ボール１００から、トレー２００を折上げる手順の一例を、図面を参照しながら説明する。
先ず、図３に示した様に、底面１の両側の内壁３及びその両側端に連なる延長壁３Ａを、二重折目Ｂに沿って、内壁２及び両延長壁２Ａの上に折り重ねる。
も２つ折りする。
【００２０】
次に、この折重ね済みの二重側壁及び分割二重側壁を、図４に示した様に、立上折目Ａに沿って両手を使って夫々起立させて行く。
この折曲過程で、４組の分割二重側壁２Ａ，３Ａも、折目Ｃに沿って内向きに同時に折曲させて行く。
【００２１】
その際に、両二重側壁２，３の夫々の起立角度を相異させることによって、対向して位置する１組の分割二重側壁２Ａ，３Ａの自由端部同士を、図５に示した様に、互いに嵌め合わせて行くことが出来る。
【００２２】
そして、分割二重側壁を折重ねることによって、分割二重側壁２Ａ，３Ａの側壁頂面ａに形成された開口ｂと、差込用突起ｃと、上記の嵌め合わせ過程で互いに嵌合させれば、１組の分割二重側壁が、１枚の二重側壁の形態に連結合体されると共に、合体状態を強固に固定させることが出来る。
【００２３】
次に、図５に示した様に残された１組の補助側壁４，４を、立上折目Ａに沿って起立させ、１枚に合体された１組の分割二重側壁の外側面に重ね合わせる。
そして、最後に、隅角片７を内向きに水平に折曲したうえ、連設した挿込片８を側壁頂面ａの差込孔９に嵌め込めば、上記の文章による折上工程の一連の説明とは異なって、至極簡単・迅速にトレー２００が折上がる。
【００２４】
そして、トレー２００を苺パック用の梱包箱として使う場合には、残されている２枚の仕切片２１，２１を十字形に噛み合わせて、中仕切３００を組立て、図６に示した様に、底面１上の真ん中に載置すればよい。
【００２５】
尚、用済みのトレー２００を、嵩張らない様に、再び１枚の段ボール１００に展開したい時には、図５に示した様に、補助側壁４を外したうえ、二重側壁の外側面に現れている、挿込片８の切除跡の凹みｅに指を掛ければ、１組の二重側壁の嵌合状態を簡単に解くことが出来る。
【００２６】
次に、本発明の他の実施例に就いて、図７及び図８を参照しながら説明する。
図８に示したこの実施例のトレー２０１は、図７に示した１枚の段ボール１０１と、この段ボール１０１の一部を切取った２枚の仕切板３１とから組立てられる。
【００２７】
このトレー２０１が、トレー２００と異なる点は、十文字形の中仕切３０１の側端を、トレー２０１の内壁面に嵌合式に固定させたところにある。
【００２８】
その為、仕切板３１を長くすると共に、夫々の両側端には、トレー２０１の側壁に設けた掛止孔３３に挿嵌させる為の突起ｄを設けている。３２は嵌め合わせ用の切欠である。
【００２９】
【発明の効果】
以上の説明によって明らかな様に、本発明による二重側壁を備えた折畳式トレーは、既存の同種のものに比べて、以下に列挙した如き実用上の優れた効果を発揮する。
（ａ）四面の周壁の総てが二重壁構造を備えており、然も、トレーの各隅角では、隣接する二重側壁同士が一体に連なっている為、耐圧強度等の強度特性が極めて優れ、水濡れにも耐え易くなる。
（ｂ）分割二重側壁の、各一半部の自由端同士を嵌合連結させて、１枚の二重側壁を組上げる構造は、係・脱操作が簡単で、然も、連結強度が優れている。
（ｃ）又、折上途中で、ブラブラして邪魔になるヒ状片が無く、折上構造自体が単純化されている。
（ｄ）その為、トレーの組立を容易・迅速に行える。
（ｅ）トレー、及びその中仕切の素材となる１枚のシート材は、周縁部の凹凸が少ないので、原反からの裁断ロスを極少に留められる。
（ｆ）側壁頂面の隅角個所に刳抜孔を設けたことによって、隅角個所での二重側壁の折曲を容易・確実に行える。
【図面の簡単な説明】
【図１】本発明によるトレーの一実施例を示すもので、１枚のシート材に展開した状態での平面図である。
【図２】同上、シート材の斜視図である。
【図３】同上、シート材からトレーを折上げ始めた状態を示す斜視図である。
【図４】同上、二重側壁及び分割二重側壁を一緒に起立させた段階を示す斜視図である。
【図５】同上、１組の分割二重側壁を１枚の分割側壁に連結合体させた段階を示す斜視図である。
【図６】同上、折上がったトレーに中仕切を収めた状態を示す斜視図である。
【図７】本発明によるトレーの他の実施例を示す、図２相当図である。
【図８】同上、図６相当図である。
【図９】トレーの従来例を示すもので、（ａ）及び（ｂ）はトレーの折上過程を、（ｃ）は折上がったトレーを示す、各斜視図である。
【符号の説明】
１００，１０１  段ボール（シート材）
２００，２０１  トレー
３００，３０１  中仕切
１  底面
２  外壁
３  内壁
２Ａ，３Ａ  延長壁
２及び３  二重側壁
２Ａ及び３Ａ  分割二重側壁
４  補助側壁
５  刳抜孔
６  刳抜孔
７  隅角片
８  挿込片
９  差込孔
２１，３１  仕切片
２２，３２  切込
３３  掛止孔
Ａ  立上折目
Ｂ  二重折目
Ｃ，Ｅ  折目
Ｄ  ２つ折用折目
ａ  側壁頂面
ｂ  開口
ｃ  差込用突起
ｄ  突起
ｅ  凹み
５０  従来のトレー
【図１】
0004776817.tif 000002
【図２】
0004776817.tif 000003
【図３】
0004776817.tif 000004
【図４】
0004776817.tif 000005
【図５】
0004776817.tif 000006
【図６】
0004776817.tif 000007
【図７】
0004776817.tif 000008
【図８】
0004776817.tif 000009
【図９】
0004776817.tif 000010